(57)【特許請求の範囲】
【請求項１】
耐流体性スライドファスナー用スライダーであって、当該スライダーは、ガイドポストによって連結された上翼部と下翼部と、当該スライドファスナーの噛合エレメントとシーリングリップ部をガイドするために上翼部と下翼部と協力するため上翼部と下翼部との間に設けられ、上翼部と下翼部から離隔して配されているガイドプレートとからなり、上翼部は、上翼部の後端部から少なくともガイドポストの前端部と同じくらい前方の位置まで延びている上側サイドフランジを備えており、下翼部は、下側サイドフランジを備えており、上側サイドフランジは、下側サイドフランジよりもスライダーの前方に向けて延びていることを特徴とする請求項１に記載された耐流体性スライドファスナー用スライダー。
【請求項２】
上側サイドフランジは、ガイドプレートの前端部と少なくとも同じくらい前方に延びていることを特徴とする請求項１に記載された耐流体性スライドファスナー用スライダー。
【請求項３】
上側サイドフランジは、上翼部の前縁部まで延びていることを特徴とする請求項２に記載された耐流体性スライドファスナー用スライダー。
【請求項４】
上側サイドフランジの前端部において、上側サイドフランジの内面は上翼部の面に対して鈍角で形成されていることを特徴とする請求項１に記載された耐流体性スライドファスナー用スライダー。
【請求項５】
当該角度は、少なくとも１２０度であることを特徴とする請求項４に記載された耐流体性スライドファスナー用スライダー。
【請求項６】
当該角度は、約１３５度であることを特徴とする請求項４に記載された耐流体性スライドファスナー用スライダー。
【請求項７】
上側サイドフランジの内面は、上側サイドフランジの後端部において上翼部に対して実質的に垂直であることを特徴とする請求項４、５又は６に記載された耐流体性スライドファスナー用スライダー。
【請求項８】
上翼部の面に対する上側サイドフランジの内面の角度は、上側サイドフランジの長さに沿って鈍角から垂直まで実質的に均等に変化することを特徴とする請求項７に記載された耐流体性スライドファスナー用スライダー。
【請求項９】
両翼部は、平行な側部を有する後部分と、後部分よりも広幅であり、実質的に平行な側部を有する前部分と、前部分から後部分までテーパーしている中間部分とを有することを特徴とする請求項１に記載された耐流体性スライドファスナー用スライダー。
【請求項１０】
上側サイドフランジは、上翼部の後部分、中間部分そして前部分に沿って延びていることを特徴とする請求項９に記載された耐流体性スライドファスナー用スライダー。
【請求項１１】
下翼部の下側サイドフランジは、後部分とテーパー部分に沿って延び、前部分の一部に沿って延びていることを特徴とする請求項９に記載された耐流体性スライドファスナー用スライダー。
【請求項１２】
下側サイドフランジは、ガイドポストの中間位置と同一のレベルの位置まで前方に延びていることを特徴とする請求項１１に記載された耐流体性スライドファスナー用スライダー。
【請求項１３】
下側サイドフランジの内面は、当該下側サイドフランジの先端部からテーパー部分が後部分と接合する接合位置まで実質的に平面状であることを特徴とする請求項１１に記載された耐流体性スライドファスナー用スライダー。
【請求項１４】
上側サイドフランジは、ガイドポストの前端よりも、スライダーの前方側の位置まで延びており、下側サイドフランジは、ガイドポストの前端よりも、スライダーの後方側の位置まで延びていることを特徴とする請求項１に記載された耐流体性スライドファスナー用スライダー。
【発明の詳細な説明】
【技術分野】
【０００１】  本発明は、欧州特許出願公開第１０５７４２３号明細書及び欧州特許出願公開第１１７５８４２号明細書に記載されたタイプの耐液体スライドファスナー用のスライダーに関するものである。テープの縁部近傍のテープ面には、コイル状の連続噛合エレメントが縫着されている。テープの他方の面は、耐流体層がコーティングされており、この耐流体層は、シーリングリップ部を形成するためにテープの縁部を越えて延びている。隣接する二つのテープの噛合エレメントが係合した時に、耐流体層のシーリングリップ部が当接してシールを形成する。このようなファスナーは、耐水性層のシーリングリップの構造や、耐水性層のシーリングリップが噛合エレメントによって圧縮される程度や、ファスナーが曲折する程度のような色々のファクターによって液体又は気体に対して適切なシールを提供することが出来るのである。
【背景分野】
【０００２】  欧州特許出願公開第１０５７４２３号明細書及び欧州特許出願公開第１１７５８４２号明細書に開示されたスライダーは、当該スライダーの上翼部と下翼部とを連結しているガイドポスト（案内柱又は楔状柱）から突出している肉薄ブレード状のガイドプレート又はガイドフランジを備えている。ガイドプレートは、噛合エレメントとシーリングリップの外端部の間に延びている。ガイドプレートは、スライダーの内部に上側及び下側の軌道を作り、噛合エレメントが連結するにつれて噛合エレメントがより正確に配されるとともに、噛合エレメントを正確に配しながらより大きな圧力をシーリングリップにかけることが出来るのである。
【０００３】  実際には、欧州特許出願公開第１０５７４２３号明細書及び欧州特許出願公開第１１７５８４２号明細書に開示されたスライダーは、３つの部分から作られていた。即ち、ガイドプレートは、別個に形成され、上翼部と下翼部と夫々の翼部に設けられた夫々のガイドポスト部分の間にサンドウィッチ状に配されたのである。このような方法は、製造工程の費用を著しく増大させるのである。
【０００４】  また、欧州特許出願公開第１９００２９７号明細書は、一体的に形成されたスライダーを開示している。特に、このスライダーは、金属又はプラスチック材料で一体物としてダイカスト又は成型によって製造することが出来る。スライダーを一体的に形成することによって、シーリングリップを連結するよう付勢するためスライダーがファスナーに沿って引き上げられる際にスライダーにより大きな分離力がかかる上翼部とガイドプレートの間の領域においてスライダーがより強固になったのである。更に、この構成によって、製造工程の費用を減額することが出来、製品の品質も改良されるのである。何故ならば、部品の配置ミスや組立工程で起こりえる他のミスを回避することが出来るからである。
【特許文献１】欧州特許出願公開第１０５７４２３号明細書
【特許文献２】欧州特許出願公開第１１７５８４２号明細書
【特許文献３】欧州特許出願公開第１９００２９７号明細書
【発明の開示】
【発明が解決しようとする課題】
【０００５】  しかし、これらの先行技術のスライダー構造についての問題点は、ガイドポストから比較的長い距離延びており、且つ支持されていない比較的肉薄のガイドプレートを使用した点である。このようなガイドプレートは、スライダーの一体部分として確実に成型することが難しかった。【０００６】  欧州特許出願公開第１９００２９７号明細書に開示されているガイドポストは、より肉厚のガイドプレートとシーリングリップのためのスムースな軌道を提供するような形状にはなっているけれども、良好な耐液体シールを構成するためスライドファスナーのテープを常に確実適切に係合させるには尚問題があった。例えば、シーリングリップは、スライダーの上翼部と下翼部との間から滑り出る可能性があり、また、コイルがガイドプレートの縁部に沿って上方に滑動する可能性もあった。
【課題を解決しようとする手段】
【０００７】  本発明においては、耐流体性スライドファスナー用スライダーであって、当該スライダーは、ガイドポストによって連結された上翼部と下翼部と、当該スライドファスナーの噛合エレメントとシーリングリップ部をガイドするために上翼部と下翼部と協力するため上翼部と下翼部との間に設けられ、上翼部と下翼部から離隔して配されているガイドプレートとからなり、上翼部は、上翼部の後端部から少なくともガイドポストの前端部と同じくらい前方の位置まで延びている上側サイドフランジを備えており、下翼部は、下側サイドフランジを備えており、上側サイドフランジは、下側サイドフランジよりもスライダーの前方に向けて延びていることを特徴とする耐水性スライドファスナー用スライダーを提供したのである。
【０００８】  上側サイドフランジは、少なくともガイドプレートの前端部と同じほど前方に延びていることが好ましい。上側サイドフランジは上翼部の前縁部まで延びていることが更に好ましい。
【０００９】  上側サイドフランジの前端部において、上側サイドフランジの内面は、上翼部に対して鈍角に形成されていることが好ましい。この角度は、少なくとも１２０度であることが好ましい。この角度は、約１３５度であることが好ましい。
【００１０】  上側サイドフランジの後端における上側サイドフランジの内面は、上翼部の面に対して実質的に垂直であることが好ましい。
【００１１】  上翼部の面に対する上側フランジの内面の角度は、フランジの長さに沿って鈍角から垂線まで実質的に均等に変化することが好ましい。
【００１２】  両翼部は、実質的に平行な側部を有する後部分と、後部分よりも広幅であり実質的に平行な側部を有する前部分と、前部分から後部分までテーパーしている中間部分と有することが好ましい。
【００１３】  上側サイドフランジは、上翼部の後部分、中間部分そして前部分に沿って延びていることが好ましい。
【００１４】  下翼部の下側サイドフランジは、下翼部の後部分とテーパー部分の側部に沿って延び、下翼部の前部分の側部の一部に沿って延びていることが好ましい。下側フランジは、ガイドポストの中間位置と同一のレベルの位置まで前方に延びていることが好ましい。
【００１５】  下側サイドフランジの内面は、サイドフランジの前端から後部分がテーパー部分と接合する接合部まで実質的に平坦であることが好ましい。
【００１７】  上側サイドフランジは、ガイドポストの前端よりも、スライダーの前方側の位置まで延びており、下側サイドフランジは、ガイドポストの前端よりも、スライダーの後方側の位置まで延びていることが好ましい。
【００１８】  他の特徴及び好ましい特徴は、以下のに発明を詳細に説明した欄を読むことによって明白となる。
【発明を実施するための最良の形態】
【００１９】  先ず、図１及び図２について説明すると、これらの図面は、先行技術のスライダー１の側面図と平面図を示している。スライダー１は、上下方向へ間隔を空けて平行に配置された上翼部２と下翼部３とを有し、スライダー１の引手（図示せず）を取付けるために上翼部２の上面に引手取付部４が形成されている。上翼部２の下面からは下翼部３に向けて上側ガイドポスト半体５が延びており、下翼部３の上面すなわち上翼部２の下面と対向する面からは上翼部２に向けて下側ガイドポスト半体６とが延びており、これらのガイドポスト半体５，６の間にガイドプレート７が挟持されている。ガイドプレート７は、上翼部２及び下翼部３との間に所定の間隔を空けて、上翼部２及び下翼部３と平行に配置されている。これにより、ガイドプレート７は、ガイドプレート７と上翼部２との間に、耐流体スライドファスナーに設けた左右一対のシーリングリップ１１が通過可能な空間を形成している。また、ガイドプレート７は、ガイドプレート７と下翼部３との間に、耐流体スライドファスナーに設けた左右一対の噛合エレメント１０が通過可能な空間を形成している。【００２０】  図３に示されているように、上翼部２の後端部において、上翼部２の左右両側縁から下翼部３へ向けてサイドフランジ８が延びており、このサイドフランジ８は、左右一対のシーリングリップ１１，１１を接合させるように付勢する働きをする。また、下翼部３の後端部において、下翼部３の左右両側縁から上翼部２へ向けてサイドフランジ９が延びており、このサイドフランジ９は、左右一対の噛合エレメント１０，１０を接合させるよう付勢する働きをする。【００２１】  図３にも示されているように、耐流体スライドファスナーは、左右一対のテープ１２の外縁部１４の近傍のテープの一面即ち下面１３にコイル状噛合エレメント１０を取付けたテープ１２を有する。夫々のテープ１２の他方の面即ち上面１６には、ゴム、エラストマー又は熱可塑性樹脂のような耐流体コーティング１５が、上面１６を覆うようにして設けられている。コーティング１５は、夫々のテープ１２の外縁部１４を越えて延びており、シーリングリップ１１を形成しており、当該シーリングリップ１１は、噛合エレメント１０が噛合するにつれてガイドプレート７と上翼部２によって当接シーリング位置へとガイドされるのである。テープ１２の下面１３には、補強テープ１７が設けられている。【００２２】  次に図４乃至図９に関して述べるが、これらの図面は、上に記載されたタイプの耐流体スライドファスナー用に考案された本発明のスライダー２０を開示している。当該スライダー２０は、上下方向に間隔を空けて平行に配置された上翼部２１と下翼部２２を備え、上翼部２１と下翼部２２はガイドポスト２３によって連結されている。上翼部２１と下翼部２２の間には、ガイドポスト２３からスライダー２０の前端２５と後端２６の方向（即ち、図６において、夫々左方向及び右方向に）に延びるガイドプレート２４が配置されている。また、ガイドプレート７は、図４に見られるように、ガイドポスト２３の夫々の側部からスライダー２０の左右方向に延びている。これにより、ガイドプレート２４は、ガイドプレート２４と上翼部２１と���間に、耐流体スライドファスナーに設けた左右一対のシーリングリップ１１が通過可能な空間を形成している。また、ガイドプレート２４は、ガイドプレート２４と下翼部２２との間に、耐流体スライドファスナーに設けた左右一対の噛合エレメント１０が通過可能な空間を形成している。【００２３】  更に、上翼部２１と下翼部２２とガイドポスト２３とガイドプレート２４は、一体的に形成されている、即ち、一体物として形成されている。これらの部分は、例えば、金属を材料としてダイカストで形成することもできるし、プラスチックを材料として成型することもできる。好ましくはないが、これらの部分は、先行技術の構造においてあるように、別個の部分として形成することもできる。【００２４】  引手（図示せず）を取付けるための引手取付部３７が上翼部２１の上面３８に一体的に形成されている。図６に示されているように、引手取付部３７は、スライダー２０の前端２５に設けられた前脚部３７ａとスライダー２０の後端２６に設けられた後脚部３７ｂと、これらの前脚部３７ａと後脚部３７ｂとを連結する引手取付部本体３７ｃとからなっている。当該技術分野において知られているような引手を取付けるための別の構造の引手取付部を使用することもできる。【００２５】  上翼部２１と下翼部２２は、概ね同一の外形又は形状であり、図７及び図８に見られるように、スライダー２０の左右方向における幅寸法が、前端２５側から後端２６側へ向けて漸次減少するように、後端２６方向にテーパーしている。上翼部２１と下翼部２２は、左右両側縁に平行な側部２１ｂ，２２ｂを有する前部分２１ａ、２２ａと、同様に平行な側部２１ｄ，２２ｄを有し、前部分２１ａよりも狭幅の後部分２１ｃ，２２ｃと、前部分２１ａ、２２ａと後部分２１ｃ，２２ｃとを連結するテーパー部分２１ｅ，２２ｅとを備えている。【００２６】  上翼部２１には、上翼部２１の左右両側縁から下翼部２２へ向けて上側サイドフランジ２７が延びている。また、下翼部２２の左右両側縁から上翼部２１へ向けて下側サイドフランジ２８が延びている。下翼部２２のテーパー部分２２ｅに設けられたフランジ部２８ａは、当該技術分野において知られているように、耐流体スライドファスナーの左右一対の噛合エレメント１０，１０を噛合させるよう付勢する働きを行い、噛合エレメント１０は、下翼部２２とガイドプレート２４との間で保持される。上側サイドフランジ２７は、耐流体スライドファスナーの左右一対のシーリングリップ１１を接合するよう付勢する働きをする。噛合エレメント１０が係合するにつれてシーリングリップ１１は互いに引き合わされるけれども、サイドフランジ２７は、噛合エレメント１０上における引張り力、及び噛合エレメントがテープ１２に連結されていることにおける引張り力を減少させるとともに、シーリングリップを一貫した方向に確実に向ける働きをするよう意図されている。【００２７】  上で述べられたように、上翼部２１と下翼部２２とガイドポスト２３とガイドプレート２４を一体的なユニットとして構成することによってスライダー２０が強固になるのである。また、ガイドプレート２４の厚みを厚くすることによってもスライダー２０を強固にしたのである。ガイドポスト２３と上翼部２１との間における接合領域を増大させることもできるが、ガイドポスト２３の長さはあまり長くすべきではない。何故ならば、ガイドポスト２３の長さを過度に長くすると、耐流体スライドファスナーのシーリングリップ１１が過度に変形し、シーリングリップが伸長してしまう虞があるからである。【００２８】  図７によく示されているように、ガイドポスト２３は、左右方向の幅寸法が漸次減少するようにテーパーしている後端２３ａを備えた概ね矩形断面を有し、ガイドポスト２３の後縁部３９で終了している。ガイドポスト２３には丸みのある断面または長円状の断面が好ましく、先鋭の又はテーパーした後端２３ａで終了している。【００２９】  ガイドプレート２４は、スライダー２０の前後方向において、前部分３２が肉厚であり、後部分３０よりも肉厚となっている。前部分３２の厚みは、ガイドポスト２３の後縁部３９を越えて後方に連続し、後部分３０の厚みは、スライダー２０の後端側へ向けて漸次減少している。後部分３０は、ガイドプレート２４の左右の外側縁部３３に沿って面取り部３４を形成することで、ガイドポスト２３の後縁部３９の後方に、下方へテーパーする後面３６が形成されている。これにより、後部分３０には、ガイドプレートの後端３１を形成する後向きの鼻部３１を形成されている。前部分３２の外側縁部３３は、厚みにおいてテーパーしており、面取部３４は上翼部２１に対面している。【００３０】  図７には、下翼部２２の上面４２上に設けられたプラットフォーム４１が見られる。このプラットフォーム４１は、当該技術分野においてよく知られているように、左右の噛合エレメント１０，１０が噛合する時に、噛合エレメント１０の適正な姿勢となるように方向づける働きをする。プラットフォーム４１は、ガイドプレート２４の後部分３０と対面して配置され、下翼部２２の上面４２に対して低い高さである。【００３１】  ガイドプレート２４の後部分３０は、左右方向の幅寸法が、スライダーの後端２６方向に漸次減少してテーパーしており、これによって、全体として楔形状を呈している。このような構成により、シーリングリップ１１は、スライダーが移動する間、滑らかにスライダー１を通過することができ、これによって、シーリングリップ１１がガイドプレート２４上で滑動することによって生ずる摩擦抵抗が確実に緩和されるのである。【００３２】  シーリングリップ１１がスライダーの中で保持される際にファスナーのシーリングリップ１１が変形する虞を減少させるため、ガイドポスト２３の後部において上翼部２１とガイドプレート２４の後部分３０との間にスペースを設けることが好ましい。【００３３】  上側サイドフランジ２７と下側サイドフランジ２８の形状と位置が本発明による特別顕著の特徴である。【００３４】  上側サイドフランジ２７は、上翼部２１の後端２６ａから、上翼部２１の左右両側縁に沿って、少なくともガイドポスト２３の前端２３ｂと同じ位に、スライダー２０の前方側の位置まで延びている。この実施例においては、図６に示すように、上側サイドフランジ２７は、上翼部２１の前部分２１ａにおいて、ガイドポスト２３の前端を２３ｂ越えて、ガイドプレート２４の前端３２ａ���少なくとも同じくらい前方の位置まで延びている。図６に示されているように、上側サイドフランジ２７は、ガイドプレート２４の少し前方まで延びており、上翼部２１の前端２５において傾斜面２７ａで終了している。【００３５】  特に図５において見られるように、スライダー１の前端２５において、上側サイドフランジ２７の内面２７ｂは、上翼部２１の下面に対して鈍角Ａで形成されている。この角度Ａは、１２０度以上の角度であり、１５０度以下の角度であることが好ましい。この実施例においては、Ｐ−Ｐで示された上翼部の下面に対して約１３５度の角度となっている。【００３６】  図４及び図５において示されているように、上側サイドフランジ２７の後端部２７ｃにおいて、上側サイドフランジ２７の内面２７ｂは、上翼部２１の下面に対して実質的に垂直である。又、断面図を示す図９から分かるように、上翼部２１の面に対する上側サイドフランジ２７の内面２７ｂの角度は、フランジ２７の長さに沿って、即ちスライダー２０の前端側から後端側へ向けて、上記の鈍角から垂直まで実質的に均一に変化しているのである。また、フランジ内面２７ｂは、スライダー１の前端２５からテーパーした翼部２１ｅの後端まで実質的に直線状で延びていることも理解できる。【００３７】  下翼部２２の下側サイドフランジ２８は、下翼部２２の後部分２２ｃの平行側部２２ｄとテーパー部分２２ｅに沿って、そして、下翼部２２の前部分２２ａの側部２２ｂの一部に沿って延びており、即ち、ガイドポスト２３の前端２３ｂに達することなく、ガイドポスト２３の前端２３ｂよりもスライダー２０の後方側で、ガイドポスト２３の前後方向の中間部２３ｅと同一のレベルの位置まで延びている。（図６及び図７を参照せよ。）これにより、上翼部２１の上側サイドフランジ２７は、下翼部２２の下側サイドフランジ２８よりも、スライダー２０の前方の位置へ向けて長く延びている。【００３８】  下側サイドフランジの内面２８ｂは、サイドフランジ２８の前端２８ｃから下翼部２２のテーパー部分２２ｅと後部分２２ｃとの接合部まで実質的に平面的になっており、下翼部２２の上面Ｐ−Ｐに対して垂直になっている。【００３９】  上側サイドフランジ２７をスライダーの前端２５の方向に延ばしたことによって、下側サイドフランジ２８が隣接する噛合エレメントを噛合するよう押圧する前に、シーリングリップ１１の方向付けをなすことが出来たのである。図１０に関してであるが、この図は、テープ１２の外縁部１４を越えて、そして、テープ１２の面から離れる方向で延びているシーリングリップ１１′を備えたスライドファスナーのストリンガーを示している。上側サイドフランジ２７の内面２７ｂの前端における角度Ａは、ファスナーテープの面Ｐ′−Ｐ′に対するスライドファスナーのシーリングリップ１１′の上面１１ａによって形成される角度Ｂに対応することが好ましい。【００４０】  以上発明の詳細な説明の欄には色々な具体例が記載されているけれども、これらの具体例は、本発明の範囲を限定するように解釈すべできはなく、本発明の好ましい実施例を単にいくつか提供していると解釈すべきである。【００４１】  従って、本発明の範囲は、記載された実施例によって判��するのではなく、むしろ、添付の特許請求の範囲及びその均等物によって判断すべきである。
【図面の簡単な説明】
【００４２】
【図１】図１は、先行技術のスライダーの側面図である。
【図２】図２は、図１の先行技術のスライダーの平面図である。
【図３】図３は、スライダーの後端部から見たスライドファスナー上に設けられた図１及び図２の先行技術のスライダーの背面図である。
【図４】図４は、本発明によるスライダーの後端部を示した背面図である。
【図５】図５は、図４の本発明によるスライダーの前端部を示す正面図である。
【図６】図６は、図４の本発明によるスライダーの断面図である。
【図７】図７は、上翼部を省略した図４の本発明によるスライダーの斜視図である。
【図８】図８は、下翼部を省略し、図４の本発明によるスライダーを逆にした状態の斜視図である。
【図９】図９は、図８のＩＸ−ＩＸ線に沿って切った断面図である。
【図１０】図１０は、本発明によるスライダーとともに使用するのに特に適したファスナーストリンガーの一実施例の断面図である。
【符号の説明】
【００４３】２０                スライダー
２１                上翼部
２２                下翼部
２１ａ、２２ａ      前部分（翼部２１，２２の）
２１ｂ、２２ｂ      平行側部（前部分２１ａ、２２ａの）
２１ｃ、２２ｃ      後部分（翼部２１，２２の）
２１ｄ、２２ｄ      平行側部（後部分２１ｃ、２２ｃの）
２１ｅ、２２ｅ      テーパー部分
２３                ガイドポスト
２３ｂ              前端部（ガイドポスト２３の）
２４                ガイドプレート
２５                前端（スライダー２０の）
２６                後端（スライダー２０の）
２７                上側サイドフランジ（上翼部２１の）
２７ａ              傾斜面（上側サイドフランジ２７の）
２７ｂ              内面（上側サイドフランジ２７の）
２７ｃ              後端部（上側サイドフランジ２７の）
２８                下側サイドフランジ
２８ｂ              内面（下側サイドフランジ２８の）
２８ｃ              先端（下側サイドフランジ２８の）
３０                後部分（ガイドプレート２４の）
３１                後端（ガイドプレート２４の）
３２                前部分（ガイドプレート２４の）
３２ａ              前端部（ガイドプレート２４の）
３３                外側縁部（ガイドプレート２４の）
３４                面取部（ガイドプレート２４の）
３６                後面（ガイドプレート２４の）
３７                引手取付部
３７ａ              前脚部（引手取付部３７の）
３７ｂ              後脚部（引手取付部３７の）
３７ｃ              引手取付部本体（引手取付部３７の）
３８                上面（上翼部２１の）
３９                後縁部（ガイドポスト２３の）
４１                プラットフォーム
【図１】
0005105196.tif 000002
【図２】
0005105196.tif 000003
【図３】
0005105196.tif 000004
【図４】
0005105196.tif 000005
【図５】
0005105196.tif 000006
【図６】
0005105196.tif 000007
【図７】
0005105196.tif 000008
【図８】
0005105196.tif 000009
【図９】
0005105196.tif 000010
【図１０】
0005105196.tif 000011